(57)【要約】  【課題】  液状加工剤の使用量を大幅に削減して洗浄および乾燥の工数を格段に短縮することを実現可能とした新規な構成からなる布類の洗浄方法、およびそれに利用する新規な構造の洗浄装置を提供する。  【解決手段】  被洗浄物８を洗浄ドラム３内最高位付近まで強制回転誘導しては自由落下させ、噴霧状の液状加工剤６１に満遍なく曝されて被洗浄物の汚れを浮き出し状とし、下位の円筒周壁内面３１に衝突する際に被洗浄物の汚れを、汚れ吸着繊維体３４に転写する動きを繰り返して洗浄してしまうようにした布類の洗浄方法である。【選択図】    図４
2005095448.tif 000002
【特許請求の範囲】
【請求項１】
円筒周壁内面の要所要所に寄せ棒体と汚れ吸着繊維体とを添設し、外郭本体内に横置き配置としてなる洗浄ドラム内に被洗浄物を投入した上、略水平状の軸心回りに回転駆動させながら液状加工剤を噴霧する過程で、同洗浄ドラム円筒周壁内面に突出させた寄せ棒体でそれら被洗浄物を洗浄ドラム内最高位付近まで強制回転誘導しては自由落下させ、下位の円筒周壁内面に衝突するような動きを所定時間に渡って繰り返し、その落下の最中には、噴霧状の液状加工剤に満遍なく曝されて被洗浄物の汚れを浮き出し状とし、その衝突の際には、浮き出し状とした被洗浄物の汚れを、要所要所に添設してある汚れ吸着繊維体に転写するようにして洗浄してしまうことを特徴とする布類の洗浄方法。
【請求項２】
多数の通気孔が穿設された円筒周壁内面の要所要所に寄せ棒体と着脱自在な汚れ吸着繊維体とを添設させてなる一端開口状の洗浄ドラムを、外郭本体内に横置き配置として略水平状の軸心回りに回転駆動可能にすると共に、その開口面に対峙状配置となる外郭本体部分のハッチ扉に用意した噴霧ノズルからは、洗浄ドラム内に向けて液状加工剤を噴霧可能にした上、当該洗浄ドラム内に被洗浄物を投入して回転駆動させながら液状加工剤を噴霧する過程で、同洗浄ドラム円筒周壁内面に突出させた寄せ棒体でそれら被洗浄物を洗浄ドラム内最高位付近まで強制回転誘導しては自由落下させ、下位の円筒周壁内面に衝突するような動きを所定時間に渡って繰り返し、その落下の最中には、噴霧状の液状加工剤に満遍なく曝されて被洗浄物の汚れを浮き出し状とし、その衝突の際には、浮き出し状とした被洗浄物の汚れを、要所要所に着脱自在に添設してある汚れ吸着繊維体に転写するようにして洗浄してしまうことを特徴とする布類の洗浄方法。
【請求項３】
多数の通気孔が穿設された円筒周壁内面の要所要所に寄せ棒体と着脱自在な汚れ吸着繊維体とを添設させてなる一端開口状の洗浄ドラムを、外郭本体内に横置き配置として略水平状の軸心回りに回転駆動可能にすると共に、その開口面に対峙状配置となる外郭本体部分のハッチ扉に用意した噴霧ノズルからは、洗浄ドラム内に向けて液状加工剤を噴霧可能にした上、当該洗浄ドラム内に被洗浄物を投入して回転駆動させながら液状加工剤を噴霧する過程で、同洗浄ドラム円筒周壁内面に突出させた寄せ棒体でそれら被洗浄物を洗浄ドラム内最高位付近まで強制回転誘導しては夫々の重力よって自由落下させ、下位の円筒周壁内面に衝突するような動きを所定時間に渡って繰り返し、その落下の最中には、噴霧状の液状加工剤に満遍なく曝されながら互いの摩擦、接触によって被洗浄物の汚れを浮き出し状とし、その衝突の際には、浮き出し状とした被洗浄物の汚れを、要所要所に着脱自在に添設してある汚れ吸着繊維体に転写するようにして洗浄してしまうことを特徴とする布類の洗浄方法。
【請求項４】
多数の通気孔が穿設された円筒周壁内面の要所要所に寄せ棒体と着脱自在な汚れ吸着繊維体とを添設させてなる一端開口状の洗浄ドラムを、外郭本体内に横置き配置として略水平状の軸心回りに回転駆動可能にすると共に、その開口面に対峙状配置となる外郭本体部分のハッチ扉に用意した噴霧ノズルからは、洗浄ドラム内に向けて液状加工剤を噴霧可能にした上、当該洗浄ドラム内に被洗浄物を投入して回転駆動させながら液状加工剤を噴霧する過程で、同洗浄ドラム円筒周壁内面に突出させた寄せ棒体でそれら被洗浄物を洗浄ドラム内最高位付近まで強制回転誘導しては自由落下させ、下位の円筒周壁内面に衝突するような動きを所定時間に渡って繰り返し、落下の最中には噴霧状の液状加工剤に満遍なく曝されて被洗浄物の汚れを浮き出し状とし、その衝突の際には、浮き出し状とした被洗浄物の汚れを、要所要所に着脱自在に添設してある汚れ吸着繊維体に転写するようにして洗浄した後、液状加工剤の噴霧を停止し、回転している洗浄ドラムに所定時間に渡って温風を送風、通気して被洗浄物に浸透している液状加工剤を蒸発、除去してしまうことを特徴とする布類の洗浄方法。
【請求項５】
円筒周壁内面の要所要所に寄せ棒体と汚れ吸着繊維体とを添設した洗浄ドラムを外郭本体内に横置き配置とし、当該洗浄ドラムを略水平状の軸心回りに回転駆動可能とする回転駆動源を設け、同外郭本体の適所に洗浄ドラム内に向けて液状加工剤を満遍なく噴霧可能な噴霧ノズルを設けてなるものとした、請求項１ないし４何れか一項記載の布類の洗浄方法に利用する洗浄装置。
【請求項６】
多数の通気孔が穿設された円筒周壁内面の要所要所に寄せ棒体と着脱自在な汚れ吸着繊維体とを添設させてなる一端開口状の洗浄ドラムを、外郭本体内に横置き配置として略水平状の軸心回りに回転可能に支持すると共に、当該洗浄ドラムを回転駆動可能とする回転駆動源を設け、その開口面に対峙状配置となる外郭本体部分のハッチ扉に、洗浄ドラム内に向けて液状加工剤を満遍なく噴霧可能とする噴霧ノズルを配した上、洗浄ドラムに対し強制的な送風、通気を可能とする送風ファンを設けてなるものとした、請求項１ないし４何れか一項記載の布類の洗浄方法に利用する洗浄装置。
【請求項７】
多数の通気孔が穿設された円筒周壁内面の要所要所に寄せ棒体と着脱自在な汚れ吸着繊維体とを添設させてなる一端開口状の洗浄ドラムを、外郭本体内に横置き配置として略水平状の軸心回りに回転可能に支持すると共に、当該洗浄ドラムを回転駆動可能とする回転駆動源を設け、その開口面に対峙状配置となる外郭本体部分のハッチ扉に、洗浄ドラム内に向けて液状加工剤を満遍なく噴霧可能とする噴霧ノズルを配し、洗浄ドラムの全長よりも長く、外周に着脱自在な埃除去用のブラシ状繊維体を添設した塵埃除去棒を、外郭本体の適所から洗浄ドラム外周面に接するよう挿脱自在に装着した上、外郭本体内には洗浄ドラムに対し強制的な送風、温風の通気を可能とする送風用循環路、空気加熱用ヒーター、および送風ファンを適宜配設してなるものとした、請求項１ないし４何れか一項記載の布類の洗浄方法に利用する洗浄装置。
【請求項８】
多数の通気孔が穿設された円筒周壁内面の要所要所に寄せ棒体と着脱自在な汚れ吸着繊維体とを添設させてなる一端開口状の洗浄ドラムを、外郭本体内に横置き配置として略水平状の軸心回りに回転可能に支持すると共に、当該洗浄ドラムを回転駆動可能とする回転駆動源を設け、その開口面に対峙状配置となる外郭本体部分のハッチ扉に、洗浄ドラム内に向けて液状加工剤を満遍なく噴霧可能とする噴霧ノズルを配し、洗浄ドラムの全長よりも長く、外周に着脱自在な埃除去用のブラシ状繊維体を添設した塵埃除去棒を、外郭本体の適所から洗浄ドラム外周面に接するよう挿脱自在に装着し、外郭本体内には洗浄ドラムに対し強制的な送風、温風の通気を可能とする送風用循環路、空気加熱用ヒーター、および送風ファンを適宜配設した上、外郭本体内の適所にハッチ扉の開閉検知、洗浄ドラムの回転制御、噴霧ノズルからの液状加工剤の噴霧、送風ファンの駆動およびヒーター加熱等を制御し、外郭本体外側の適所に形成した操作パネルからの入力設定通りの洗浄工程を統合的に実行可能とする電子制御部を設けてなるものとした、請求項１ないし４何れか一項記載の布類の洗浄方法に利用する洗浄装置。
【請求項９】
噴霧ノズルが、液状加工剤用タンクに制御弁を介して接続された加工剤供給パイプと、制御弁を介して圧縮空気供給源に接続された圧縮空気供給パイプとを接続してなり、ドラムの回転中心よりも僅かに上方位となるハッチ扉内側面に配置してなるものとした、請求項５ないし８何れか一項記載の洗浄装置。                                                                    
【発明の詳細な説明】
【技術分野】
【０００１】
この発明は、布類の洗浄に関連するあらゆる分野をその技術分野とするものであり、布類の洗浄を業とするクリーニングの分野は勿論のこと、当該洗浄に係わる設備、器具類を製造、販売する分野から、それらに必要な資材、部品を提供する分野、それら資材、部品の加工に必要な機械、工具類を提供する分野、またそれら資材や機械装置、部品類に必要な素材、例えば木材、合板、プラスチック、各種金属材料を提供する分野、それら機械装置、部品類に組み込まれる電子分品やそれらを集積した制御機器の分野、各種計測器の分野、当該設備、器具を動かす動力機械の分野、そのエネルギーとなる電力やエネルギー源である電気、オイルの分野等と、所謂一般的に産業機械として総称されるような全ての分野、更には、それら設備、器具類を試験、研究したり、それらの展示、販売、輸出入、ならびに使用する分野、将又、それら設備、器具類の運転に伴って発生するゴミ屑や廃液を回収、運搬する回収、輸送の分野、ゴミ屑を効率的に再生利用するリサイクル分野、あるいは現時点で想定できない新たな分野までと、関係しない技術分野はない程である。                                                                  
【背景技術】
【０００２】
（視  点）
我が国において一般に行われているドライクリーニングは、石油系有機溶剤、塩素系有機溶剤あるいはフッ素系有機溶剤等のような液状加工剤の所定量を、収容した図示しない洗浄槽内に衣類等の被洗浄物を投入し、該洗浄槽を所定時間に渡り、正逆回転駆動することによって液状加工剤を被洗浄物の繊維中に繰り返し通過させるようにし、繊維に付着した汚れを溶かし出し、被洗浄物から分離、除去した後、液状加工剤を洗浄槽から抜き取るか、あるいは別の脱水、乾燥槽に被洗浄物を移動させ、回転による遠心力を与えて脱水した後に、温風を強制的に吹き付けながら洗浄槽（または脱水、乾燥槽）を回転駆動させて布類に浸透した液状加工剤を乾燥、除去するものである。
【０００３】
（従来の技術）
このように洗浄工程において液状加工剤に浸漬された被洗浄物は、その繊維中に大量の液状加工剤が浸透してしまい、高速での脱水が難しく、洗浄時間の短縮が困難なため、高い脱水性能を有する洗浄装置が求められていたが、こうした課題を解決する技術として、例えば特開平１１−３４２２８６号公報の水平状の円筒形ドラムの背面側端面を内側に窪ませて、その凹部にモータを取り付け、ドラムを直接回転駆動すると共に、ドラム前面側から背面側に向かって内径が大きくなるように円筒周壁内面を傾斜させた「ドラム式洗浄機」発明が開発されている。
【０００４】
また、これまで長い間に渡って使用されてきている洗浄装置の多くは、洗浄ドラム外周壁面等の通常利用では見ることのできない箇所に汚れや埃、黴等が大量に付着してしまい、衛生的な洗浄の妨げとなってしまうという厄介な問題があり、この課題を解決しようとして、例えば実用新案登録第３０６３２３９号公報「内槽と外槽の間を洗浄できる洗濯機」考案等に散見されるもののように、洗濯層が、内槽は外槽の壁面に向けて、また外槽は内槽の壁面に向けて、夫々お互いの壁面に加圧した洗浄水を噴射するノズルを設けたものとして、内槽と外槽との間の黴や汚れを洗浄できるようにし、内槽の外側と外槽の内側とにブラシをセットして内槽を回転させることにより、ブラシ洗浄が可能となるようにした提案がある。
【０００５】
しかしながら、前者の発明「ドラム式洗浄機」は、被洗浄物を液状加工剤中に投入し、繊維中に完全に浸透させて洗浄するものであり、有る程度の時間を掛けて十分に脱水しなければ、その後に続く乾燥作業の工数を返って増加させてしまうこととなってしまい、洗浄時間を僅かに短縮できても、大幅な時間短縮に結び付くものとはならず、しかも被洗浄物を浸漬できる程度の十分な量の液状加工剤を使用する必要があるので、洗浄によって汚染された液状加工剤を比較的大量に廃棄処理する必要があり、その処理費用も嵩むという欠点があった。
【０００６】
一方、後者の考案「内槽と外槽の間を洗浄できる洗濯機」は、洗浄水をノズルから噴射させて内槽と外槽の間を洗浄するものであるが、内外槽間の全ての範囲に渡り、均質な圧力で洗浄水を吹き付けるのは不可能であり、洗浄効果に部分的なムラを生じ、埃や黴が残存してしまう虞れがある。また、内槽と外槽との双方にブラシを設けた構造は、ブラシ間に付着した埃や黴を除去するのが難しく、良好な衛生状態を確保するには、定期的に内槽と外槽とを分離させ、双方のブラシを掃除する必要があり、メンテナンスに多大な労力を要するという欠点があった。                                                                          
【特許文献１】（1）特開平１１−３４２２８６号公報    （2）実用新案登録第３０６３２３９号公報
【発明の開示】
【発明が解決しようとする課題】
【０００７】
（問題意識）
この発明は、以上のように被洗浄物を液状加工剤中に浸漬させるため、脱水作業に所定時間を掛けなければならず、洗浄時間の短縮が困難であり、また、噴射ノズルやブラシを設ける等して洗浄槽を洗浄する構造では、十分な洗浄効果が得られず、メンテナンスにも不利である等、これまで長期間に渡って洗浄時間を短縮すると共に、洗浄ドラムを清潔且つ簡便に維持、管理できる洗浄装置が提供されなかったという事情に疑問を抱き続けてきた。
【０００８】
（発明の目的）
そこで、本願出願人は、従前までの懸案に対処して、できるだけ短時間の中に高い洗浄性能を発揮することができ、しかもメンテナンスに秀れた洗浄技術を実現することはできないものかとの判断から、逸速くその開発、研究に着手し、長期に渡る試行錯誤と幾多の試作、実験とを繰り返してきた結果、今回遂に、ドライクリーニング溶剤あるいは洗濯用洗剤等の加工剤を用いて衣類や布団、縫いぐるみ等の物品に、皺や縮み等を生じさせることなく、しかも迅速且つ経済的に洗浄可能とする布類の洗浄技術、特に、液状加工剤の使用量を大幅に削減して洗浄および乾燥の工数を格段に短縮することを実現可能とした新規な構成からなる布類の洗浄方法、およびそれに利用する新規な構造の洗浄装置を完成させることに成功したものであり、以下において、図面に示すこの発明を代表する実施例と共に、その構成を詳述していくこととする。                                                                  
【課題を解決するための手段】
【０００９】
（発明の構成）
図面に示すこの発明を代表する実施例からも明確に理解されるように、この発明に包含される布類の洗浄方法は、基本的に次のような構成から成り立っている。
即ち、円筒周壁内面の要所要所に寄せ棒体と汚れ吸着繊維体とを添設し、外郭本体内に横置き配置としてなる洗浄ドラム内に被洗浄物を投入した上、略水平状の軸心回りに回転駆動させながら液状加工剤を噴霧する過程で、同洗浄ドラム円筒周壁内面に突出させた寄せ棒体でそれら被洗浄物を洗浄ドラム内最高位付近まで強制回転誘導しては自由落下させ、下位の円筒周壁内面に衝突するような動きを所定時間に渡って繰り返し、その落下の最中には、噴霧状の液状加工剤に満遍なく曝されて被洗浄物の汚れを浮き出し状とし、その衝突の際には、浮き出し状とした被洗浄物の汚れを、要所要所に添設してある汚れ吸着繊維体に転写するようにして洗浄してしまうようにした構成を要旨とする布類の洗浄方法である。
【００１０】
この基本的な構成からなる布類の洗浄方法を、より具体的な構成で示すと、多数の通気孔が穿設された円筒周壁内面の要所要所に寄せ棒体と着脱自在な汚れ吸着繊維体とを添設させてなる一端開口状の洗浄ドラムを、外郭本体内に横置き配置として略水平状の軸心回りに回転駆動可能にすると共に、その開口面に対峙状配置となる外郭本体部分のハッチ扉に用意した噴霧ノズルからは、洗浄ドラム内に向けて液状加工剤を噴霧可能にした上、当該洗浄ドラム内に被洗浄物を投入して回転駆動させながら液状加工剤を噴霧する過程で、同洗浄ドラム円筒周壁内面に突出させた寄せ棒体でそれら被洗浄物を洗浄ドラム内最高位付近まで強制回転誘導しては自由落下させ、下位の円筒周壁内面に衝突するような動きを所定時間に渡って繰り返し、その落下の最中には、噴霧状の液状加工剤に満遍なく曝されて被洗浄物の汚れを浮き出し状とし、その衝突の際には、浮き出し状とした被洗浄物の汚れを、要所要所に着脱自在に添設してある汚れ吸着繊維体に転写するようにして洗浄してしまう構成の布類の洗浄方法ということができる。
【００１１】
これを換言するならば、多数の通気孔が穿設された円筒周壁内面の要所要所に寄せ棒体と着脱自在な汚れ吸着繊維体とを添設させてなる一端開口状の洗浄ドラムを、外郭本体内に横置き配置として略水平状の軸心回りに回転駆動可能にすると共に、その開口面に対峙状配置となる外郭本体部分のハッチ扉に用意した噴霧ノズルからは、洗浄ドラム内に向けて液状加工剤を噴霧可能にした上、当該洗浄ドラム内に被洗浄物を投入して回転駆動させながら液状加工剤を噴霧する過程で、同洗浄ドラム円筒周壁内面に突出させた寄せ棒体でそれら被洗浄物を洗浄ドラム内最高位付近まで強制回転誘導しては夫々の重力よって自由落下させ、下位の円筒周壁内面に衝突するような動きを所定時間に渡って繰り返し、その落下の最中には、噴霧状の液状加工剤に満遍なく曝されながら互いの摩擦、接触によって被洗浄物の汚れを浮き出し状とし、その衝突の際には、浮き出し状とした被洗浄物の汚れを、要所要所に着脱自在に添設してある汚れ吸着繊維体に転写するようにして洗浄してしまう布類の洗浄方法であるということができる。
【００１２】
上記までの構成のこの発明には、多数の通気孔が穿設された円筒周壁内面の要所要所に寄せ棒体と着脱自在な汚れ吸着繊維体とを添設させてなる一端開口状の洗浄ドラムを、外郭本体内に横置き配置として略水平状の軸心回りに回転駆動可能にすると共に、その開口面に対峙状配置となる外郭本体部分のハッチ扉に用意した噴霧ノズルからは、洗浄ドラム内に向けて液状加工剤を噴霧可能にした上、当該洗浄ドラム内に被洗浄物を投入して回転駆動させながら液状加工剤を噴霧する過程で、同洗浄ドラム円筒周壁内面に突出させた寄せ棒体でそれら被洗浄物を洗浄ドラム内最高位付近まで強制回転誘導しては自由落下させ、下位の円筒周壁内面に衝突するような動きを所定時間に渡って繰り返し、落下の最中には噴霧状の液状加工剤に満遍なく曝されて被洗浄物の汚れを浮き出し状とし、その衝突の際には、浮き出し状とした被洗浄物の汚れを、要所要所に着脱自在に添設してある汚れ吸着繊維体に転写するようにして洗浄した後、液状加工剤の噴霧を停止し、回転している洗浄ドラムに所定時間に渡って温風を送風、通気して被洗浄物に浸透している液状加工剤を蒸発、除去してしまうようにした布類の洗浄方法も包含している。
【００１３】
（関連する発明）
上記した構成からなる布類の洗浄方法に関連し、この発明には、それに利用する洗浄装置も包含されており、その構成は基本的に次のとおりのものである。
即ち、円筒周壁内面の要所要所に寄せ棒体と汚れ吸着繊維体とを添設した洗浄ドラムを外郭本体内に横置き配置とし、当該洗浄ドラムを略水平状の軸心回りに回転駆動可能とする回転駆動源を設け、同外郭本体の適所に洗浄ドラム内に向けて液状加工剤を満遍なく噴霧可能な噴霧ノズルを設けてなるものとした構成を要旨とする、上記までのこの発明の布類の洗浄方法に利用するための洗浄装置である。
【００１４】
この基本的な構成の洗浄装置を、より具体的に示すと、多数の通気孔が穿設された円筒周壁内面の要所要所に寄せ棒体と着脱自在な汚れ吸着繊維体とを添設させてなる一端開口状の洗浄ドラムを、外郭本体内に横置き配置として略水平状の軸心回りに回転可能に支持すると共に、当該洗浄ドラムを回転駆動可能とする回転駆動源を設け、その開口面に対峙状配置となる外郭本体部分のハッチ扉に、洗浄ドラム内に向けて液状加工剤を満遍なく噴霧可能とする噴霧ノズルを配した上、洗浄ドラムに対し強制的な送風、通気を可能とする送風ファンを設けてなるものとした構成の洗浄装置となる。
【００１５】
更に具体的には、多数の通気孔が穿設された円筒周壁内面の要所要所に寄せ棒体と着脱自在な汚れ吸着繊維体とを添設させてなる一端開口状の洗浄ドラムを、外郭本体内に横置き配置として略水平状の軸心回りに回転可能に支持すると共に、当該洗浄ドラムを回転駆動可能とする回転駆動源を設け、その開口面に対峙状配置となる外郭本体部分のハッチ扉に、洗浄ドラム内に向けて液状加工剤を満遍なく噴霧可能とする噴霧ノズルを配し、洗浄ドラムの全長よりも長く、外周に着脱自在な埃除去用のブラシ状繊維体を添設した塵埃除去棒を、外郭本体の適所から洗浄ドラム外周面に接するよう挿脱自在に装着した上、外郭本体内には洗浄ドラムに対し強制的な送風、温風の通気を可能とする送風用循環路、空気加熱用ヒーター、および送風ファンを適宜配設してなるものとした洗浄装置ということが可能である。
【００１６】
そして、望ましい態様のものとして、この発明の洗浄装置には、多数の通気孔が穿設された円筒周壁内面の要所要所に寄せ棒体と着脱自在な汚れ吸着繊維体とを添設させてなる一端開口状の洗浄ドラムを、外郭本体内に横置き配置として略水平状の軸心回りに回転可能に支持すると共に、当該洗浄ドラムを回転駆動可能とする回転駆動源を設け、その開口面に対峙状配置となる外郭本体部分のハッチ扉に、洗浄ドラム内に向けて液状加工剤を満遍なく噴霧可能とする噴霧ノズルを配し、洗浄ドラムの全長よりも長く、外周に着脱自在な埃除去用のブラシ状繊維体を添設した塵埃除去棒を、外郭本体の適所から洗浄ドラム外周面に接するよう挿脱自在に装着し、外郭本体内には洗浄ドラムに対し強制的な送風、温風の通気を可能とする送風用循環路、空気加熱用ヒーター、および送風ファンを適宜配設した上、外郭本体内の適所にハッチ扉の開閉検知、洗浄ドラムの回転制御、噴霧ノズルからの液状加工剤の噴霧、送風ファンの駆動およびヒーター加熱等を制御し、外郭本体外側の適所に形成した操作パネルからの入力設定通りの洗浄工程を統合的に実行可能とする電子制御部を設けてなる洗浄装置を包含している。                                                      
【発明の効果】
【００１７】
以上のとおり、この発明の布類の洗浄方法によれば、何よりも先ず、被洗浄物を液状加工剤中に浸漬させず、汚れを落とすのに必要にして最低限度の量の液状加工剤を被洗浄物に噴霧することによって実質的な洗浄を可能としたことにより、液状加工剤の使用量を格段に削減することができ、自然環境に優しいという特徴を有し、更に、従前までであれば不可欠とされてきた洗浄後の脱水工程を不要として直ちに乾燥工程に移すことができるので、洗浄時間を大幅に短縮することができる上、被洗浄物へのダメージを減らすことができるので、繊維の質感を損ねない良好な仕上がりを得ることができ、しかも洗浄ドラムの回転と寄せ棒体との作用により、被洗浄物を洗浄ドラム円筒周壁内面の最上位付近から同下位付近に自由落下させ、円筒周壁内面に添設された汚れ吸着繊維体に打ち付けることにより、汚れを転写してしまうので、十分な洗浄能力が得られると共に、遠心力を受けて汚れ吸着繊維体を通過し、洗浄ドラム外に排出された液状加工剤は、有る程度の濾過処理が施され、そのまま再利用可能な状態で回収できることから、液状加工剤の再生処理や廃棄処理作業が殆ど不要となり、洗浄作業効率を大幅に高めることができるという秀れた特徴が得られるものである。
【００１８】
また、この発明の洗浄装置によれば、略水平状の軸心回りに回転駆動可能とした洗浄ドラムの内側に向けて、液状加工剤を満遍なく噴霧可能とする噴霧ノズルを設けたことにより、従前までの液状加工剤中に被洗浄物を浸漬させて洗浄ドラムを回転駆動する構造に比較して、同一重量の被洗浄物を洗浄する際に要する回転駆動源出力を大幅に軽減することができるので、駆動系に加わる負担を削減して高い耐久強度を確保することができ、装置の長寿命化が容易になり、洗浄ドラム円筒周壁内面の要所要所に寄せ棒体を設けたことにより、被洗浄物を効率的に上昇、落下させ、汚れ吸着繊維体に叩き付けることが可能となり、洗浄性能を大幅に向上させることができるという卓越した効果を発揮することができるものとなる。                                                                                      
【発明を実施するための最良の形態】
【００１９】
上記したとおりの構成からなるこの発明の実施に際し、その最良もしくは望ましい形態について説明を加えることにする。                                                  先ず、この発明の布類の洗浄方法は、液状加工剤を噴霧しながら行う洗浄の前工程において洗浄ドラムを回転駆動しながら乾燥風または温風（熱風）を供給、通過させて被洗浄物を予備乾燥させる工程を行うことができる外、洗浄の前後や乾燥の前後等に部分汚れの洗浄や染み抜き作業等を適宜追加して実施することが可能であり、噴霧ノズルから噴霧する液状加工剤を複数種類準備しておき、被洗浄物の素材や油汚れ、水溶性の汚れ等、汚れの種類に応じて適宜、最適と判断される液状加工剤を選択して使用することができ、また、噴霧ノズルに供給する液状加工剤の希釈濃度や、噴霧量、噴霧時間等を被洗浄物の材質や汚れの種類、汚れの強さ等の各条件に応じて自在に変更可能とすることができ、更に、洗浄処理を終えた後あるいはその外の適時に、液状加工剤を噴霧するのと同じ噴霧ノズルか、あるいは、同様の位置に設けられた別の噴霧ノズルから、柔軟仕上げ剤や、防皺帯電防止剤、撥水処理剤、蛍光発色剤、殺菌消臭処理剤等の各種仕上剤を噴霧することも可能である。
【００２０】
そして、この洗浄方法を実施するための洗浄装置において、外郭本体は、洗浄ドラムを水平軸心回りに回転自在に支持、収容可能とし、洗浄ドラム内に投入された被洗浄物が、回転洗浄中に外部に飛び出さないよう閉鎖可能とする機能を果たすものであり、洗浄ドラムの開口端に対峙する壁面に、被洗浄物用の投入口と、該投入口を開閉可能とするハッチ扉とを設けたものとしなければならず、背面側もしくは側面側等に送風用循環路を形成し、適所に送風ファンや空気加熱用ヒーターを配したものとすべきであり、前面あるいは天面等の利用者の手が届き易く目視確認容易な適所に各種スイッチ類を配した操作パネルを設け、内側適所には、操作パネルからの入力に従い、洗浄ドラム用の回転駆動源や噴霧ノズル、送風ファン、空気加熱用ヒーター等を適宜自動制御可能とする電子制御部を設けたものとするのが望ましい。
【００２１】
ハッチ扉は、外郭本体内に収容された洗浄ドラムに、被洗浄物を投入可能とすると共に、洗浄や乾燥中の被洗浄物が洗浄ドラムから飛び出さないように閉鎖する機能を果たすものであり、噴霧ノズルから噴霧される液状加工剤が外郭本体外に漏れないよう密閉可能な密封構造を有するものとすべきであり、洗浄ドラム内側に対峙する箇所、特に、洗浄ドラムの回転中心よりも僅かに上位となる箇所に、同洗浄ドラム内に向けた噴霧ノズルを設けたものとするのが望ましく、中央付近に透明板からなる覗き窓を形成することができる。
【００２２】
洗浄ドラムは、その内部に被洗浄物を収容して略水平状の軸心回りに回転運動することにより、被洗浄物を最上位付近まで強制回転誘導しては自由落下させ、下位の円筒周壁内面に衝突させるような動きを繰り返し、その衝突の際に被洗浄物の汚れを転写するようにして洗浄してしまうという機能を果たすものであり、一端を開口し他端を閉鎖した円筒形であり、洗浄ドラムの周壁内面の要所要所に汚れ吸着繊維体を添設したものとしなければならず、周内面の適所に一端から他端に至る一条もしくは複数条の寄せ棒体を突設したものとすべきであり、周壁面の略全面に多数の通気孔を穿孔したものとするのが望ましい。
【００２３】
寄せ棒体は、洗浄ドラムの回転力を被洗浄物に確実に伝達し、円筒周壁内面の回転に伴い強制的に上昇させた被洗浄物が、円筒周壁内面の最上位付近に達したときにその強制力を失い、被洗浄物を自由落下させ、下位の円筒周壁内面に衝突させる機能を果たすものであり、洗浄ドラム奥行方向の略全長に渡って内周面に突出する形状としなければならず、汚れ吸着繊維体を装着可能な構造とすべきであり、更に多数の通気孔を穿孔したものとするのが望ましい。
【００２４】
汚れ吸着繊維体は、被洗浄物が洗浄ドラム周壁内面に衝突または摩擦接触する際に、液状加工剤の噴霧によって浮き上がった被洗浄物の汚れを転写状に吸着し、効果的な洗浄を可能とする機能を果たすものであり、例えば不織布やフェルト、あるいは絨毯生地等の繊維素材から形成したものとしなければならず、毛細管現象および洗浄ドラムの回転による遠心力を受けて吸着した汚れや液状加工剤、微粒子状の埃等を洗浄ドラム周壁外面側に浸透し、排出するものとするのが望ましく、洗浄ドラム円筒周壁内面の要所要所にベロクロファスナーやバインダー機構等の適宜脱着機構を用いて脱着自在に被着する構造とするのがよい。
【００２５】
回転駆動源は、洗浄ドラムを略水平状の軸心回りに一定の速度あるいは設定もしくは選択された速度で所定時間に渡り、一方向もしくは正逆切り替え自在に回転駆動可能とする機能を果たすものであり、予め設定された許容重量の被洗浄物を収容した洗浄ドラムを安定して回転できる十分な出力を有するものとしなければならず、操作パネルからの直接的な電源操作、あるいは操作パネルからの入力を受けた電子制御部からの電源操作を受けて起動、停止、正転、逆転可能な構造とすべきであり、更に出力軸と洗浄ドラムとの間に変速機構を設けたり、あるいは電子制御部による電力供給量の制御等を受けて、回転速度を適宜制御できる構造とするのが望ましい。
【００２６】
噴霧ノズルは、回転駆動する洗浄ドラムの内側で摩擦接触、回転上昇と、落下衝突といった洗浄運動を繰り返す被洗浄物に向けて液状加工剤の適量を満遍なく噴霧可能とする機能を果たすものであり、洗浄ドラムの開口に対峙する外郭本体の適所に配設されたものとしなければならず、液状加工剤用タンクに制御弁を介して接続された加工剤供給パイプと、制御弁を介して圧縮空気供給源に接続された圧縮空気供給パイプとを接続してなり、ドラムの回転中心よりも僅かに上方位となるハッチ扉内側面に配置したものとするのが望ましく、各制御弁を操作パネルから直接操作し、あるいは電子制御部から自動制御によって開閉操作されることにより、液状加工剤を噴霧する構造とすることができる外、圧縮空気を利用せず、加圧された液状加工剤のみを噴霧する構造とすることも可能である。
【００２７】
液状加工剤は、噴霧することにより布類に付着した汚れを繊維から分離させるよう浮き上がらせ、その汚れを接触または衝突した物に転写してしまうようにして布類から汚れを除去することを可能とする機能を果たすものであり、例えばドライクリーニングに使用される加工剤を用いることが可能であり、より具体的には、石油系有機溶剤、塩素系有機溶剤、フッ素系有機溶剤等を用いることができる外、これらの有機溶剤に界面活性剤等の洗剤等を混合したものとすることが可能であり、界面活性剤やパラフィンを主成分とする洗浄剤、あるいは非イオン系界面活性剤主成分に平滑加工用シリコン樹脂、塩化ベンザルコニュウム抗菌剤、純水の混合物からなるもの等とすることができる。
【００２８】
送風用循環路は、洗浄ドラム内に投入された被洗浄物に通気させる送風を外郭本体内に強制的に案内、循環可能として被洗浄物の乾燥を可能とする機能を果たすものであり、順路途中の適所に一定方法に強制的に送風可能とする送風ファンを設けたものとしなければならず、洗浄ドラムへ向かう直前付近に空気加熱用ヒーターを設けたものとすべきであり、必要に応じて外気を取り込み、内気を排出可能な吸気口や排気口およびそれらの開閉機構を設けたものとするのが望ましく、更に、洗浄ドラムを通過した後の順路途中に、集塵用のフィルターや液状加工剤の回収ドレン等を適宜配置したものとするのがよい。
【００２９】
塵埃除去棒は、回転駆動される洗浄ドラムの周壁外側面に沿って接触状となり、洗浄ドラム内から多数の通気孔を通じて排出される塵埃を効率的に除去可能とする機能を果たすものであり、洗浄ドラム奥行方向の全長よりも長い棒状をなし、少なくとも洗浄ドラムに接触可能な範囲に渡り、ブラシ状繊維体を装着したものしなければならず、脱着構造を設けて同ブラシ状繊維体を脱着自在に被着したものとするのが望ましい。
【００３０】
操作パネルは、洗浄ドラムの回転駆動源や噴霧ノズル、送風ファン等の各部を直接的にスイッチ操作して起動、停止可能とするか、あるいは、電子制御部を介して自動制御可能とする機能を果たすものであり、利用者が視認し易く手の届き易い外郭本体の外側適所に露出状、あるいは使用するときのみ露出状とすることができるものとすべきであり、スイッチ操作することで各部が一定時間に渡り駆動して自動的に停止するよう設計された電気回路を有するものとすることができる外、電子制御部を設けて各部を連繋し、一連の洗浄工程に従い制御するようスイッチ操作するものとすることもできる。
【００３１】
電子制御部は、操作パネルからの入力操作を受けて、洗浄ドラムの回転駆動源や噴霧ノズル、送風ファン等の各部を、連繋させて一連の洗浄工程に従って制御可能とするという機能を果たし、電子回路やマイコンチップあるいはシーケンサー等を用いて自動制御可能とするものであり、具体的には回転駆動源や送風ファンへの電源供給の制御、および噴霧ノズルに液状加工剤や圧縮空気を供給したり、空気加熱用ヒーターに蒸気や熱湯等を供給可能とする各開閉弁を開閉制御する回路等を有するものとすべきであり、ハッチ扉の開閉状態を検出する開閉センサーや、回転駆動源等に電力を供給する増幅器あるいは電源スイッチ、電磁弁等を操作する制御回路等を設けたものとすることができる。
【００３２】
被洗浄物は、液状加工剤を噴霧することにより、付着した汚れを浮き上がらせることができる布類であり、例えば綿や毛、シルク、麻その外、合成繊維、合成樹脂や金属膜等の被膜を形成した繊維類等の衣料品、布団、ズック靴、ぬいぐるみ、布生地等、様々なものが洗浄の対象となる。
以下では、図面に示すこの発明を代表する実施例と共に、その構造について詳述していくこととする。                                                                                        
【実施例１】
【００３３】
図１の洗浄装置の正面図、図２の洗浄装置を断面化した側面図、図３の強制乾燥状態の洗浄装置を断面化した側面図、図４の洗浄中の洗浄装置を断面化した側面図に示される事例は、円筒周壁内面３１の要所要所に寄せ棒体３３，３３，３３と汚れ吸着繊維体３４，３４，……とを添設した洗浄ドラム３を外郭本体２内に横置き配置とし、当該洗浄ドラム３を略水平状の軸心回りに回転駆動可能とする回転駆動源４を設け、同外郭本体２の適所に洗浄ドラム３内に向けて液状加工剤６１を満遍なく噴霧可能な噴霧ノズル６を設けてなるものとした基本的構成からなるこの発明の布類の洗浄方法に利用する洗浄装置における代表的な一実施例を示すものである。
【００３４】
当該洗浄装置１は、幅８６０ｍｍ前後、高さ１８００ｍｍ前後、奥行１１００ｍｍ前後の矩形箱形に形成された外郭本体２の前面中央付近に、略円形状の投入口２１を開口し、その内側に直径８８０ｍｍ前後、奥行が８６０ｍｍ前後の円筒形に形成された洗浄ドラム３が、開口端を投入口２１に対応させ、円筒形軸心を略水平状とし、図示しない軸受け構造により、回転自在に支持され、後部に配置された回転駆動源としての駆動モータ４が、ベルト伝動機構４１を介して接続され、円筒形の周方向に回転駆動されるものとなっている。
【００３５】
洗浄ドラム３は、その円筒周壁面の略全体に渡り、ドラム内外通気を可能とする多数の通気孔３２，３２，……が、肉厚方向（直径方向）に向けて穿孔、貫通されたものとすると共に、同円筒周壁内面３１周回りの約１２０゜置き毎となる位置には、円筒形の中心に向けて突出する短冊状の寄せ棒体３３，３３，３３を、ドラム内奥行の略全長に渡って突設、一体化した上、各寄せ棒体３３，３３，３３ならびに、これら寄せ棒体３３，３３，３３が設けられていない範囲の円筒周壁内面３１には、夫々フェルト製の汚れ吸着繊維体３４，３４，……が、図示しないベロクロファスナーを介して脱着自在に貼着されている。
【００３６】
外郭本体２前面の投入口２１下縁付近には、掃除穴２２が穿孔されており、この掃除穴２２には、洗浄ドラム３の奥行寸法よりも長い塵埃除去棒５が、脱抜可能に挿着され、同塵埃除去棒５の洗浄ドラム３に対応する範囲に渡り、円筒周壁外面に起毛が接触するブラシ状繊維体５１を図示しないベロクロファスナーを介して脱着自在に巻付け被着可能とし、洗浄装置１の通常使用中には、ブラシ状繊維体５１を装着しない塵埃除去棒５か、略同形状の棒体かの何れかを挿着し、洗浄ドラム３の外周壁面に付着した塵埃を除去するときのみに、ブラシ状繊維体５１を装着した塵埃除去棒５を掃除穴２２に挿着するものとなっている。
【００３７】
外郭本体２の投入口２１には、中央に覗き窓２４と、閉鎖したときに洗浄ドラム３の回転中心に対峙する箇所よりも１６０ｍｍ程度上方となる位置に、図示しない噴射口洗浄ドラム３内に向けた噴霧ノズル６とを設けたハッチ扉２３を開閉自在に設け、該噴霧ノズル６には、図示しない制御弁を介して液状加工剤用タンクに接続した加工剤供給パイプ、および、図示しない圧縮空気供給源に制御弁を介して接続された圧縮空気供給パイプを接続し、図４中に示すように、洗浄ドラム３内に満遍なく液状加工剤６１を噴霧可能なものとされている。
【００３８】
外郭本体２内の洗浄ドラム３の上下および背面側には、図２中に示すように、連通状の順路を形成する送風用循環路７が形成され、洗浄ドラム３の直上となる外郭本体２天面前方付近には、天面に開口する外気取り込み口に図示しない自動開閉機構を有するヒーターダンパ７２を設け、該ヒーターダンパ７２と洗浄ドラム３との間には、電磁弁を介してボイラからの給湯を受けることにより、放熱可能とした空気加熱用ヒーター７１が配されており、洗浄ドラム３の下側にはリントスクリーン７３が装着され、その下部には流れ落ちた液状加工剤６１を受ける図示しない液受けトレーが配され、同外郭本体２の背面側下部の送風用循環路７中途箇所には、順路に沿って強制送風可能とする送風ファン７４を設け、外郭本体２の背面側天面には、送風用循環路７の排気口７５が開口され、その近傍に排気と循環とを切り替え可能な自動切り替え機構を有する循環ダンパ７６を設け、更に、ヒーターダンパ７２と排気口７５との間であって送風用循環路７の中途箇所に対応する外郭本体２天面中央付近には自動開閉機構を有する冷風ダンパ７７を設けたものとなっている。
【００３９】
外郭本体２前面の右上側には、図１中に示すように、各種操作ボタンと液晶表示パネル等とを配した操作パネル２５が設けられ、同操作パネル２５の背面側となる外郭本体２内側には、操作パネル２５からの入力を受けて駆動モータ４に電力を供給し、空気加熱用ヒーター７１の電磁弁を制御し、ヒーターダンパ７２を開閉する外、送風ファン７４、循環ダンパ７６、冷風ダンパ７７等を適宜制御して一連の洗浄工程を自動的に実行可能とし、また、ハッチ扉２３に設けられた図示しない開閉センサーからの信号を受けてハッチ扉２３が開放されたときには、全ての洗浄を強制的に一旦停止してしまうよう制御する電子制御部２６を設けたものとなっている。
【００４０】
電子制御部２６には、幾つかの洗浄コースが予め設定されており、利用者は被洗浄物８の素材や汚れの状態等を勘案して何れかの洗浄コースを選択し、操作パネル２５を通じて入力、実行させることが可能である外、液状加工剤６１の噴霧量や噴霧時間、および空気加熱用ヒーター７１による加熱温度や乾燥時間等の各種条件を個別に設定し、新たな洗浄コースを利用者が独自に設定、入力できるプログラムを有するものとなっている。
【００４１】
（実施例の作用）
以上のとおりの構成からなるこの発明の洗浄装置１は、この発明の布類の洗浄方法に好適に使用することが可能であり、当該洗浄装置１による洗浄工程に従い、より具体的な布類の洗浄方法について以下に示すこととする。
操作パネル２５の電源スイッチを操作して洗浄装置１を起動させ、ハッチ扉２３を開けて被洗浄物８を許容重量範囲内で投入し、同ハッチ扉２３を閉鎖し、被洗浄物８の素材や汚れの度合いに応じて洗浄コースを適宜選択、入力してスタートスイッチを操作すると、電子制御部２６が予め設定されている洗浄コースに従ってプログラムを実行する。
【００４２】
駆動モータ４を駆動して洗浄ドラム３を回転させ、図３中に示すように、送風ファン７４を駆動すると共に、ヒーターダンパ７２を開放して空気加熱用ヒーター７１に給湯し、８０℃前後の比較的低温の熱風を約１分間に渡り、同図中の白抜き矢印および黒塗矢印で示すよう送風用循環路７を巡り、排気口７５から排気して被洗浄物８の予備乾燥を行う。
【００４３】
予備乾燥を終えたら約１分間に渡り、噴霧ノズル６に供給される圧縮空気の圧力を安定させると共に、図４中に示すように、空気加熱用ヒーター７１への給湯を停止し、ヒーターダンパ７２を閉鎖させ、循環ダンパ７６が排気口７５を閉鎖して同中に斜線矢印で示す送風循環路を形成するよう操作して液状加工剤６１の噴霧準備を行い、続く４分間に渡り、噴霧ノズル６を通じて所定濃度に希釈された液状加工剤６１を、同図中に破線矢印で示すよう、回転する洗浄ドラム３内の被洗浄物８に満遍なく吹き付け、液状加工剤６１の噴霧を受けて汚れを浮き上がらせた被洗浄物８を、図１中に示されるように、鎖線白抜き矢印で示す一回転毎に洗浄ドラム３内の寄せ棒体３３によって円筒周壁内面３１の最上位付近まで上昇させ、同図中白抜き矢印に示すように、自由落下させて円筒周壁内面３１下位付近の汚れ吸着繊維体３４に打ち付けるようにして、汚れを汚れ吸着繊維体３４に転写するようにして分離、除去し、また寄せ棒体３３，３３，３３および円筒周壁内面３１の各汚れ吸着繊維体３４，３４，……との摩擦状の接触によっても、汚れを満遍なく転写状に吸着して被洗浄物８全体の洗浄を行う。
【００４４】
液状加工剤６１の噴霧を終えた後は、１分間に渡って送風ファン７４を駆動させながら洗浄ドラム３を回転させてエアブローを行いながら、被洗浄物８の汚れを汚れ吸着繊維体３４に転写する工程を続行し、更にその後の３分間に渡り、送風ファン７４を停止して洗浄ドラム３を回転させ、被洗浄物８を満遍なく汚れ吸着繊維体３４に叩き付けて殆ど全ての汚れを転写してしまい、吸着繊維体３４に吸着された汚れは、遠心力を受けて吸着繊維体３４外周側に浸透して行く液状加工剤６１と共に、円筒周壁内面３１の多数の通気孔３２を通じて洗浄ドラム３の外周面側に排出され、また、被洗浄物８から出た細かな埃も吸着繊維体３４を通過して洗浄ドラム３の外周面側に排出されるものとなり、汚れを含んだ液状加工剤６１と埃の一部は洗浄ドラム３から落下し、リントスクリーン７３を通じてろ過され、下側に有る図示しない液受けトレーに回収される。
【００４５】
洗浄を終えた後は、図３中に示される、予備乾燥の際と同様に各部を作動させ、空気加熱用ヒーター７１に１３０℃前後の蒸気を供給して比較的高温の熱風を供給し、１０分間に渡って強制乾燥を行い、被洗浄物８に浸透した液状加工剤６１を完全に乾燥、除去し、続いて空気加熱用ヒーター７１への蒸気の供給を停止してヒーターダンパ７２を閉鎖すると共に、冷風ダンパ７７を開放して３分間に渡り、外気を強制的に循環させて被洗浄物８を冷却して、全ての洗浄工程を終えたら、冷風ダンパ７７を閉鎖し、送風ファン７４ならびに洗浄ドラム３の回転を停止させ、利用者が、ハッチ扉２３を開放して被洗浄物８を洗浄ドラム３内から取り出して洗浄を完了することができる。
【００４６】
また、複数回に渡る使用により洗浄ドラム３の外周壁面に塵埃が付着した場合には、図１および図２中に示すように、ブラシ状繊維体５１を装着した塵埃除去棒５を掃除穴２２に挿し込み、操作パネル２５を適宜操作して洗浄ドラム３を、所定時間に渡り回転駆動させることにより、洗浄ドラム３外周面の塵埃が、ブラシ状繊維体５１に掻き取られ、洗浄ドラム３を清潔に維持することが可能となる。洗浄ドラム３を停止させた後に、塵埃除去棒５を掃除穴２２から抜き取り、ブラシ状繊維体５１に付着した塵埃を排除または洗浄するか、あるいはブラシ状繊維体５１自体を廃棄処分してしまい、洗浄装置１の通常使用中に掃除穴２２内に塵埃が詰まらないよう、ブラシ状繊維体５１を取り外した塵埃除去棒５を掃除穴２２に挿着しておき、再度使用する際に、ブラシ状繊維体５１を装着するものとする。
【００４７】
（実施例の効果）
この実施例に取り上げた洗浄装置１は、前記してあるこの発明の特徴に加え、特に噴霧ノズル６をハッチ扉２３内側面における洗浄ドラム３の中心よりも僅かに上側にずらした位置に設けてあることから、噴霧された液状加工剤６１が、洗浄ドラム３の上側から下側に降り注ぐようにして広い空間に散布されるものとなり、被洗浄物８に満遍なく付着して高い洗浄能力を発揮するものとすることができ、しかも、塵埃除去棒５を洗浄ドラム３の円筒周壁外面に接するよう装着してあることから、簡便且つ迅速に洗浄ドラム３の円筒周壁外面に付着した塵埃を除去できるものなり、メンテナンス性を向上し、更には通常使用の際にブラシ状繊維体５１を取り外した塵埃除去棒５を装着して置くことにより、掃除穴２２に埃が詰まる弊害を解消し、簡単な作業によって容易に洗浄ドラム３周辺を清潔に保つことができるという利便性が得られるものとなっている。
【００４８】
（結  び）
叙述の如く、この発明の布類の洗浄方法、およびそれに利用する洗浄装置は、その新規な構成によって所期の目的を遍く達成可能とするものであり、しかも製造も容易で、従前からの被洗浄物を液状加工剤に浸漬させて洗浄する洗浄方法に比較して洗浄作業に要する時間を格段に短縮することができると共に、液状加工剤の使用量を大幅に削減することができ、遥かに経済的なものとすることができる上、メンテナンス作業の効率自体も大幅に高めることができることから、洗浄時間の短縮と費用の削減とを確実に達成可能にするものであり、より上質な仕上がりと迅速な作業が求められるクリーニング業界において高く評価されものとなって、広範に渡って利用、普及していくものになることが予想される。                                                                                            
【図面の簡単な説明】
【００４９】
図面は、この発明の布類の洗浄方法、およびそれに利用する洗浄装置の技術的思想を具現化した代表的な実施例を示すものである。
【図１】洗浄装置を示す正面図である。
【図２】洗浄装置の内部構造を縦断面化して示す側面図である。
【図３】乾燥作業中の洗浄装置を縦断面化して示す側面図である。
【図４】洗浄作業中の洗浄装置を縦断面化して示す側面図である。
【符号の説明】
【００５０】
１      洗浄装置
２      外郭本体
２１    同  投入口
２２    同  掃除穴
２３    同  ハッチ扉
２４    同  覗き窓
２５    同  操作パネル
２６    同  電子制御部
３      洗浄ドラム
３１    同  円筒周壁内面
３２    同  通気孔
３３    同  寄せ棒体
３４    同  汚れ吸着繊維体
４      駆動モータ（回転駆動源）
４１    同  ベルト伝動機構
５      塵埃除去棒
５１    同  ブラシ状繊維体
６      噴霧ノズル
６１    同  液状加工剤
７      送風用循環路
７１    同  空気加熱用ヒーター
７２    同  ヒーターダンパ
７３    同  リントスクリーン
７４    同  送風ファン
７５    同  排気口
７６    同  循環ダンパ
７７    同  冷風ダンパ
８      被洗浄物
【図１】
2005095448.tif 000003
【図２】
2005095448.tif 000004
【図３】
2005095448.tif 000005
【図４】
2005095448.tif 000006